(57)【要約】【課題】開閉可能な一対の可動役物の開閉動作をスムーズに行い得ると共に、閉鎖時の見栄えの低下を防止し得たり、一対の可動役物に多彩な演出効果が得られてパチンコ遊技の興趣を高め得るパチンコ遊技機の役物装置を提供する。【解決手段】遊技盤の図柄表示装置の周囲に配設されて、駆動手段により機械的に開閉可能な一対の可動役物を有するパチンコ遊技機の役物装置において、可動役物は、その開放端の一方に電磁石が取付けられ他方に永久磁石や吸着板からなる吸着手段が取付けられると共に、電磁石が励磁手段により励磁もしくは非励磁されることでオン・オフして、その吸着力や反発力により可動役物の閉鎖動作を可能にしたり開放動作を可能にすることを特徴とする。【選択図】  図８
2010142295.tif 000002
【特許請求の範囲】
【請求項１】
遊技盤の図柄表示装置の周囲に配設されて、駆動手段により機械的に開閉可能な一対の可動役物を有するパチンコ遊技機の役物装置において、
前記可動役物は、その開放端の一方に電磁石が取付けられ他方に吸着手段が取付けられると共に、前記電磁石が励磁手段により励磁もしくは非励磁されることでオン・オフして、前記可動役物の閉鎖動作を可能にしたり開放動作を可能にすることを特徴とするパチンコ遊技機の役物装置。
【請求項２】
前記吸着手段は、永久磁石もしくは磁性体からなる吸着板で形成され、前記電磁石への通電による吸着力もしくは反発力で可動役物の閉鎖動作もしくは開放動作を可能にすることを特徴とする請求項１に記載のパチンコ遊技機の役物装置。
【請求項３】
前記励磁手段は、前記駆動手段による可動役物の開放動作の開始もしくは閉鎖動作の開始の所定時間前に、電磁石を励磁もしくは非励磁とすることを特徴とする請求項１または２に記載のパチンコ遊技機の役物装置。
【請求項４】
前記励磁手段は、前記電磁石を複数のパターンで励磁可能であることを特徴とする請求項１ないし３のいずれかに記載のパチンコ遊技機の役物装置。
【請求項５】
前記励磁手段及び駆動手段は、前記図柄表示装置の周囲に配設されたランプを制御するランプ制御基板に接続されて、前記励磁手段により可動役物がランプの制御と同期して開閉動作することを特徴とする請求項１ないし４のいずれかに記載のパチンコ遊技機の役物装置。
【発明の詳細な説明】
【技術分野】
【０００１】
本発明は、図柄表示装置の周囲に配設されて開閉可能な一対の可動役物を有するパチンコ遊技機の役物装置に関する。
【背景技術】
【０００２】
従来、パチンコ遊技機の遊技盤の略中央には、液晶表示器からなる図柄表示装置が配設されており、この図柄表示装置の周囲である左右及び上部には、ランプ等が内蔵された装飾用のカバーや、図柄表示装置に表示される図柄に関連して動作可能な役物装置が配設されている。この役物装置としては、例えば特許文献１に示すように、図柄表示装置の上部に配設されて、左右方向に開閉可能な例えば文字をイメージした一対の可動役物で構成されたものが知られている。
【特許文献１】特開２００７−２９２５５号公報
【発明の開示】
【発明が解決しようとする課題】
【０００３】
しかしながら、このようなパチンコ遊技機の役物装置にあっては、左右方向に開閉可能な一対の可動役物が、通常閉鎖された状態でその開放端が略接触状態とされているのみであるため、確実に閉鎖された状態を安定維持することが難しく、閉鎖状態における役物装置の見栄えが劣る場合がある。そこで、例えば一対の可動役物の開放端である互いの接触部位に極性の異なる永久磁石をそれぞれ取付け、この一対の永久磁石の磁力により閉鎖状態を維持する方法も考えられるが、この場合は、永久磁石の磁力設定が難しく可動役物がスムーズに開放動作を開始しない場合があったり、閉鎖時に可動役物同士の不快な衝突音が発生する場合がある等、役物装置に見栄えとスムーズな開閉動作を同時に得ることが難しい。
【０００４】
本発明は、このような事情に鑑みてなされたもので、その目的は、開閉可能な一対の可動役物の開閉動作をスムーズに行い得ると共に、閉鎖時の見栄えの低下を防止し得るパチンコ遊技の役物装置を提供することにある。また、他の目的は、前記目的に加え、一対の可動役物に多彩な演出効果が得られてパチンコ遊技の興趣を高め得るパチンコ遊技機の役物装置を提供することにある。
【課題を解決するための手段】
【０００５】
かかる目的を達成すべく、本発明のうち請求項１に記載の発明は、遊技盤（５）の図柄表示装置（８）の周囲に配設されて、駆動手段（４０）により機械的に開閉可能な一対の可動役物（２０、２１）を有するパチンコ遊技機（１）の役物装置（１５）において、前記可動役物は、その開放端（２０ａ、２１ａ）の一方に電磁石（２４）が取付けられ他方に吸着手段（２５、２８）が取付けられると共に、前記電磁石が励磁手段（４１）により励磁もしくは非励磁されることでオン・オフして、前記可動役物の閉鎖動作を可能にしたり開放動作を可能にすることを特徴とする。
【０００６】
また、請求項２に記載の発明は、前記吸着手段が永久磁石（２５）もしくは磁性体からなる吸着板（２８）で形成され、前記電磁石（２４）への通電による吸着力もしくは反発力で可動役物（２０、２１）の閉鎖動作もしくは開放動作を可能にすることを特徴とする。さらに、請求項３に記載の発明は、前記励磁手段（４１）が、前記駆動手段（４０）による可動役物（２０、２１）の開放動作の開始もしくは閉鎖動作の開始の所定時間前に、電磁石（２４）を励磁もしくは非励磁とすることを特徴とする。また、請求項４に記載の発明は、前記励磁手段（４１）が、電磁石（２４）を複数のパターンで励磁可能であることを特徴とし、また、請求項５に記載の発明は、前記励磁手段（４１）及び駆動手段（４０）が、前記図柄表示装置（８）の周囲に配設されたランプ（３７）を制御するランプ制御基板（３４）に接続されて、前記励磁手段により可動役物（２０、２１）がランプの制御と同期して開閉動作することを特徴とする。
【発明の効果】
【０００７】
本発明のうち請求項１に記載の発明によれば、開閉可能な一対の可動役物の一方の開放端に電磁石が取付けられ、他方の開放端に吸着手段が取付けられて、電磁石が励磁手段によりオン・オフして可動役物を開閉させるため、電磁石への通電量で吸着力や反発力を簡単に設定することができ、閉鎖時の衝突音等の発生を防止することができると共に、閉鎖時に可動役物の開放端の接触状態を確実に安定維持できて、役物装置の見栄えの低下を防止することができる。
【０００８】
また、請求項２に記載の発明によれば、請求項１に記載の発明の効果に加え、吸着手段が永久磁石もしくは磁性体からなる吸着板で形成され、電磁石への通電による吸着力もしくは反発力により可動役物の閉鎖動作もしくは開放動作を可能にするため、永久磁石もしくは吸着板の使用により、所望の吸着力や反発力で可動役物を確実に開閉動作させることができる。
【０００９】
さらに、請求項３に記載の発明によれば、請求項１または２に記載の発明の効果に加え、駆動手段による可動役物の開放動作もしくは閉鎖動作が開始される所定時間前に、励磁手段により電磁石を励磁もしくは非励磁とするため、電磁石が駆動手段による可動役物の開放動作や閉鎖動作に悪影響を与えることがなく、可動役物の一層スムーズな開放動作や閉鎖動作を行うことができる。
【００１０】
また、請求項４に記載の発明によれば、請求項１ないし３に記載の発明の効果に加え、励磁手段が電磁石を複数のパターンで励磁可能であるため、例えば可動役物の開放開始時や閉鎖時に、電磁石の励磁に変化をもたせて、可動役物に磁力による振動等を付与でき、可動役物に多彩な演出効果が得られてパチンコ遊技の興趣を高めることができる。
【００１１】
また、請求項５に記載の発明によれば、請求項１ないし４に記載の発明の効果に加え、励磁手段及び駆動手段がランプ制御基板に接続されて、可動役物がランプの制御と同期して開閉動作するため、可動役物に一層多彩な演出効果を得ることができて、パチンコ遊技の興趣を一層高めることができる。
【発明を実施するための最良の形態】
【００１２】
以下、本発明を実施するための最良の形態を図面に基づいて詳細に説明する。
図１〜図１０は、本発明に係わる役物装置を備えたパチンコ遊技機の一実施形態を示し、図１がパチンコ遊技機の正面図、図２が液晶表示器部分の正面図、図３がその平面図、図４が役物装置が開放した状態の正面図、図５がその平面図、図６が電磁石の断面図、図７がパチンコ遊技機の制御系のブロック図、図８が役物装置の制御系のブロック図、図９が役物装置の動作の一例を示すタイミングチャート、図１０がその変形例を示すタイミングチャートである。
【００１３】
図１に示すように、パチンコ遊技機１は、外枠２の前面にガラス扉３を有する前面枠４が開閉可能に配設され、この前面枠４の内側には遊技盤５が配設されている。また、前面枠４は、その下方右隅部に発射ハンドル６が配設されると共に、中央下部に打球供給皿７が配設されている。前記遊技盤５は、その遊技領域中の略中央部に、図柄表示装置としてのカラーの液晶表示器８が配設されている。
【００１４】
この液晶表示器８の中央位置の下方には始動入賞口９が配設されると共に、その両側に普通入賞口１０やゲート１１が配設され、さらに始動入賞口９の下方には、電動チューリップ１２と大入賞口１３が開閉可能に配設されている。また、液晶表示器８の左右は後述する盤ランプ３７等が内蔵された装飾カバー１４で覆われると共に、液晶表示器８の上部には、役物装置１５が配設されている。さらに、遊技盤５の下方右隅部には、特別図柄保留ランプ１６、普通図柄保留ランプ１７、特別図柄表示器１８、普通図柄表示器１９（図７参照）等が配設されている。
【００１５】
前記役物装置１５は、図２〜図５に示すように、左右方向に開閉可能で閉鎖状態において正面視の外径形状が略楕円形状を呈する一対の可動役物２０、２１を有し、各可動役物２０、２１の前面には、所定の図柄や色彩が施されている。また、可動役物２０、２１の接触端となる開放端２０ａ、２１ａの上下方向の中央には、正面視で半円形の凹部２０ｂと凸部２１ｂが設けられており、一対の可動役物２０、２１が閉鎖された際に、凹部２０ｂが凸部２１ｂに嵌合して一対の可動役物２０、２１の開放端２０ａ、２１ａが接触状態（閉鎖状態）となるように構成されている。
【００１６】
一対の可動役物２０、２１は、駆動源としてのステッピングモータ２２に複数のカム２３及び連結アーム２０ｃ、２１ｃを介して連結されている。そして、ステッピングモータ２２が後述する駆動回路４０の駆動信号により正転もしくは逆転することにより、カム２３が所定方向に回転して、連結アーム２０ｃ、２１ｃを介して各可動役物２０、２１が開放動作したり閉鎖動作するようになっている。また、一対の可動役物２０、２１のうち一方の可動役物２１の開放端２１ａの上下方向の中央には、電磁石２４が配設され、他方の可動役物２０の開放端２０ａの上下方向の中央には、吸着手段としての永久磁石２５が配設されている。
【００１７】
前記電磁石２４は、図６に示すように、全体形状が扁平丸形形状に形成された小型軽量の電磁石が使用され、軸方向の一端側に底壁を有して他端側が開口した、外形形状が円筒形状のヨーク２４ａを有している。このヨーク２４ａの内部に形成された円環状のコイル収納部にコイル２４ｂが巻回収納され、コイル２４ｂの両端部２４ｄがヨーク２４ａ外に引き出されて後述する駆動回路４０に電気的に接続されている。
【００１８】
そして、電磁石２４は、コイル２４ｂの巻回方向等のコイル形態を所定に設定することにより、該コイル２４ｂに例えばプラス（＋）方向の電流を流すことにより、磁極面２４ｃの極性がＮ極となり、マイナス（−）方向の電流を流すことにより磁極面２４ｃの極性がＳ極となるように構成されている。この電磁石２４は、ヨーク２４ａの底壁に形成されたねじ孔にねじ２６がねじ込まれることにより、前記可動役物２１の凸部２１ｂに対応した連結アーム２１ｃの先端内側に固定されている。
【００１９】
また、前記永久磁石２５は、例えばその表面がＮ極に磁化された円板状の磁石で形成され、可動役物２０の凹部２０ｂに対応した連結アーム２０ｃの先端内側にねじ２７で固定されている。そして、電磁石２４に所定方向（＋方向もしくは−方向）の電流が通電されてオン（励磁）されることにより、該電磁石２４の磁極面２４ｃに発生する所定極性（Ｓ極もしくはＮ極）の磁極により、該磁極面２４ｃにＮ極の永久磁石２５が吸着されたり反発されるようになっている。また、電磁石２４は、その通電が遮断されることでオフ（非励磁）とされる。
【００２０】
図７及び図８は、前記パチンコ遊技機１の制御系のブロック図を示している。以下、これについて説明する。図７に示すように、パチンコ遊技機１は、パチンコ遊技の基本的な動作を制御し始動条件成立時に図柄変動コマンドや各種コマンドを出力する主制御基板２９と、この主制御基板２９に接続されたサブ制御基板３０を有している。サブ制御基板３０は、主制御基板２９から入力される図柄変動コマンドに基づいて液晶表示器８で表示される図柄の変動等を制御する演出制御基板３１と、主制御基板２９から入力されるコマンドデータに基づいて払出駆動モータ３２ａを作動させて遊技球の払出を制御する払出制御基板３２と、画像制御基板３３及びランプ制御基板３４等によって構成されている。
【００２１】
なお、前記主制御基板２９には、その入力側に、前記始動入賞口９に配設された始動口スイッチ９ａ、前記普通入賞口１０に配設された普通入賞口スイッチ１０ａ、前記ゲート１１に配設されたゲートスイッチ１１ａ、前記大入賞口１３に配設された大入賞口スイッチ１３ａ等が接続されている。また、主制御基板２９の出力側には、前記電動チューリップ１２に配設された電チューソレノイド１２ａ、前記大入賞口１３に配設された大入賞口ソレノイド１３ｂ、前記特別図柄保留ランプ１６、普通図柄保留ランプ１７、特別図柄表示器１８及び普通図柄表示器１９等が接続されている。
【００２２】
前記演出制御基板３１には、液晶表示器８に表示される画像及びパチンコ遊技機１の前面の所定位置に配設されたスピーカ３５から発せられる音声を制御する前記画像制御基板３３と、枠ランプ３６や盤ランプ３７の点灯を制御する前記ランプ制御基板３４が接続されている。また、演出制御基板３１には、パチンコ遊技機１の前面所定位置に配設された演出ボタン３８が接続されている。
【００２３】
また、前記ランプ制御基板３４には、前記役物装置１５が接続されている。この役物装置１５は、図８に示すように、前記ステッピングモータ２２と電磁石２４及び永久磁石２５を備え、ステッピングモータ２２は、正逆転可能に構成されて、制御部４０ａとパルス発生部４０ｂを有する駆動回路４０（駆動手段）を介してランプ制御基板３４のＣＰＵ３４ａに接続されている。また、電磁石２４は、制御部４１ａとパルス発生部４１ｂを有する励磁回路４１（励磁手段）を介してランプ制御基板３４のＣＰＵ３４ａに接続されている。なお、駆動回路４０や励磁回路４１が接続されるランプ制御基板３４は、前記ＣＰＵ３４ａとＲＡＭ３４ｂ、及び前記ランプ３６、３７やステッピングモータ２２及び電磁石２４を所定のパターンで動作させるための動作プログラムが記憶されたＲＯＭ３４ｃ等を有している。
【００２４】
そして、前記ステッピングモータ２２は、ランプ制御基板３４のＣＰＵ３４ａから出力される役物作動信号Ｓ１に基づいて、制御部４０ａを介してパルス発生部４０ｂから所定のパルス（駆動信号）が供給されることにより、例えば正転したり逆転するようになっている。また、前記電磁石２４は、前記役物作動信号Ｓ１に基づいて、励磁回路４１（励磁手段）により通電されることでオン（励磁）となり、その磁極面２４ｃに所定の磁極が発生すると共に、通電が遮断されることでオフ（非励磁）となり、磁極面２４ｃの磁力が消磁されるようになっている。
【００２５】
図９及び図１０は、前記役物装置１５の動作の一例を示すタイミングチャートである。図９（ａ）に示すように、時刻ｔ１でランプ制御基板３４のＣＰＵ３４ａから所定のコマンド等からなる役物作動信号Ｓ１が励磁回路４１と駆動回路４０に出力（オン）される。この役物作動信号Ｓ１が励磁回路４１に入力されると、図９（ｂ）に示すように、制御部４１ａにより当該信号Ｓ１が入力されてから所定時間Ｔ１後に、パルス発生部４１ｂから電磁石２４のコイル２４ｂに通電されている所定方向（＋方向）の電流の供給が遮断、すなわち電磁石２４が非励磁（オフ）されて磁極面２４ｃの吸着力が解除される。
【００２６】
また、役物作動信号Ｓ１が駆動回路４０に入力されると、図９（ｃ）に示すように、制御部４０ａにより当該信号Ｓ１が入力されてから所定時間Ｔ２（Ｔ２＞Ｔ１）後に、パルス発生部４０ｂからステッピングモータ２２にオン信号（正転信号）が出力されてステッピングモータ２２が所定回転数例えば正転する。ステッピングモータ２２が正転すると、カム２３の回転により一対の可動役物２０、２１が閉鎖状態から開放方向に回転して、図９（ｄ）に示すように開放される。これにより、役物装置１５が開放状態に設定され、この役物装置１５の開放時に、ステッピングモータ２２が回転を開始する所定時間（Ｔ２−Ｔ１）前に、電磁石２４による永久磁石２５の吸着力が解除されていることから、ステッピングモータ２２の回転開始時に該モータ２２に不要な負荷が掛かることがなく、可動役物２０、２１がスムーズに開放動作することになる。
【００２７】
また、図９（ａ）に示すように、時刻ｔ２でランプ制御基板３４のＣＰＵ３４ａから役物作動信号Ｓ１の出力が停止（オフ）されると、図９（ｂ）に示すように、励磁回路４１の制御部４１ａからパルス発生部４１ｂを介して、役物作動信号Ｓ１の停止と略同時に電磁石２４に逆方向（−方向）の電流が所定時間Ｔ３通電され、この通電後に再び＋方向の電流が通電される。なお、逆方向の電流値は、吸着力を得る＋方向の電流値に対して、後述する衝突音の関係等から小さい値に設定されているが、同一であっても良い。
【００２８】
電磁石２４に逆方向の電流が通電されると、電磁石２４の磁極面２４ｃに比較的弱い反発力が発生し、この状態で、図９（ｃ）に示すように、駆動回路４０の制御部４０ａにより役物作動信号Ｓ１が停止されてから所定時間Ｔ４（Ｔ４≦Ｔ３）後に、パルス発生部４０ｂからステッピングモータ２２にオフ信号（逆転信号）が出力されてステッピングモータ２２が所定回数逆転する。ステッピングモータ２２が逆転すると、カム２３の回転により一対の可動役物２０、２１が開放状態から閉鎖方向に回転して、図９（ｄ）に示すように閉鎖される。
【００２９】
これにより、役物装置１５が閉鎖状態に設定され、この役物装置１５の閉鎖時に、ステッピングモータ２２が逆転して停止する所定時間（Ｔ３−Ｔ４）前に、電磁石２４に所定の反発力が発生していることから、ステッピングモータ２２の回転停止時に、可動役物２１の永久磁石２５が電磁石２４の反発力に抗しながら徐々に磁極面２４ｃに接触する。そして、この接触後に、電磁石２５に＋方向の電流が通電されると、反発力が吸着力に変わり可動役物２１の電磁石２４に可動役物２０の永久磁石２５が吸着されて可動役物２０、２１が閉鎖状態に設定される。
【００３０】
この閉鎖状態は、役物作動信号Ｓ１が出力されていない間、電磁石２４に吸着力が発生していることから維持されて、その開放端２０ａ、２１ａ間に隙間が生じること等が防止された状態となる。なお、前記時間Ｔ１〜Ｔ４は、役物装置１５の形態に応じて、一対の可動役物２０、２１の開放動作や閉鎖動作がスムーズに行える適宜の時間に設定されている。また、前記電磁石２４のオン・オフ状態は、ランプ制御基板３４のＲＯＭ３４ｃに記憶されている複数の動作パターンにより、ステッピングモータ２２の駆動状態及び各種ランプ３７、３８の点灯状態とが同期して行われるようになっている。
【００３１】
ところで、以上の説明においては、吸着手段として永久磁石２５を使用したが、本発明はこれに限定されず、例えば吸着手段として鉄板等の磁性体（あるいは非磁性体）からなる円形の吸着板２８（図６参照）を使用することもできる。この吸着板２８を使用する場合の電磁石２４への通電は、図１０（ａ）に示すように、役物作動信号Ｓ１が出力されてから所定時間Ｔ１後で、ステッピングモータ２２が回転する所定時間Ｔ２−Ｔ１前に、電磁石２４への通電を遮断してオフとし、ステッピングモータ２２のスムーズな回転動作を可能にさせる。また、前記信号Ｓ１がオフとされた場合は、該信号Ｓ１によりステッピングモータ２２が停止した後に電磁石２４に通電して、その磁極面２４ｃに吸着力を発生させ、電磁石２４に吸着板２８を吸着させて一対の可動役物２０、２１を閉鎖状態とする。
【００３２】
つまり、吸着板２８を使用する場合は、電磁石２４の吸着力のみを使用することで、可動役物２０、２１の閉鎖時にその開放端の隙間の発生が防止されることになる。この例の場合の電磁石２４への通電は、図１０（ｂ）に示すように、通常電磁石２４をオフとし、閉鎖時にのみに吸着力を発生させて可動役物２０、２１を閉鎖状態としても良い。これは、可動役物２０、２１が完全に閉鎖されるとステッピングモータ２２により、その閉鎖状態が維持されることから、常時電磁石２４に吸着力を作用させなくても良いという考えに基づくものである。
【００３３】
また、前記電磁石２４の通電形態は、例えば図１０（ｃ）（ｄ）に示すようにオン・オフさせることができる。すなわち、図１０（ｃ）に示すように、可動役物２０、２１の開放もしくは閉鎖時に、電磁石２４に複数のパルスを所定の間隔で供給して、電磁石２４のオン・オフを所定回数繰り返すことにより、例えば開放時や閉鎖時の各可動役物２０、２１の開放端２０ａ、２１ａに振動を付与させる。この場合、図１０（ｄ）に示すように、複数のパルスのレベルを変化させることで、可動役物２０、２１を多様な状態で振動させることもできる。また、電磁石２４に供給されるパルスの形態は、例えば図１０（ｃ）（ｄ）の二点鎖線で示すように、そのレベルが徐々に変化する形態とすることもできる。
【００３４】
この可動役物２０、２１を振動させる形態においては、例えば第１段階として可動役物２０、２１を開放させ、その後に、第２段階として可動役物２０、２１の奥側に配設されているベルトが落下する構成とし、大当たりの期待度が高い遊技状態の場合に、可動役物２０、２１を振動させることで、可動役物が開放するかどうかの期待感を徐々に高めるようにしても良い。また、可動役物２０、２１を振動させることで、第１段階としての可動役物２０、２１が開放するかどうかをじらすようにして良い。このように、可動役物２０、２１の開閉動作に電磁石２４を使用して振動を付与させることにより、可動役物２０、２１に多彩な動作を容易に得ることが可能となる。
【００３５】
なお、前記実施形態の説明においては、可動役物２０、２１の駆動源として正逆転可能な一つのステッピングモータ２２を使用したが、例えば一方向に回転可能なモータを使用し、この回転を所定のカムを介して一対の可動役物２０、２１に連結することにより、可動役物２０、２１を開放したり閉鎖することもできる。また、役物装置１５に使用されるステッピングモータ２２は、一つに限らず、例えば各可動役物２０、２１に対応してそれぞれ配設することもできる。
【００３６】
このように、前記役物装置１５によれば、可動役物２１の開放端２１ａに電磁石２４が取付けられ、可動役物２０の開放端２０ａに永久磁石２５が取付けられて、電磁石２４が励磁回路４１によりオン・オフして可動役物２０、２１が開閉されるため、電磁石２４による永久磁石２５に対する吸着力や反発力の設定を励磁回路４１で電気的に簡単に行うことができ、閉鎖時の衝突音等の発生を防止することができると共に、電磁石２４の磁力を所定に設定することで、閉鎖時に可動役物２０、２１の開放端２０ａ、２１ａの接触状態を確実に維持できて、閉鎖時の役物装置１５の見栄えの低下を防止することができる。
【００３７】
また、吸着手段が永久磁石２５もしくは磁性体からなる吸着板２８で形成され、電磁石２４への通電による吸着力もしくは反発力で可動役物２０、２１の閉鎖動作もしくは開放動作を可能にするため、永久磁石２５もしくは吸着板２８の使用により、所望の吸着力や反発力で可動役物２０、２１を確実かつスムーズに開閉動作させることができる。
【００３８】
さらに、励磁回路４１が可動役物２０、２１の開放動作もしくは閉鎖動作が開始される所定時間前に励磁回路４１により電磁石２４を励磁もしくは非励磁とするため、電磁石２４が駆動回路４０による可動役物２０、２１の開放動作や閉鎖動作に悪影響を与えることがなく、可動役物２０、２１の一層スムーズな開放動作や閉鎖動作を行うことができる。特に、可動役物２０、２１の閉鎖動作時に励磁回路４１により電磁石２４に所定の反発力が発生するように制御することで、可動役物２０、２１の閉鎖時の衝突音を確実に防止することができて遊技者に不快感を与えること等がなくなる。
【００３９】
また、励磁回路４１により電磁石２４を複数のパターンで励磁するようにすれば、例えば可動役物２０、２４の開放時や閉鎖時に、電磁石２４の励磁に変化をもたせて、可動役物２０、２１に例えば磁力による振動等を付加することができ、可動役物２０、２１に多彩な演出効果が得られてパチンコ遊技の興趣を高めることができる。その際、励磁回路４１及び駆動回路４０をランプ制御基板３４に接続して、可動役物２０、２１が各種ランプ３７、３８やステッピングモータ２２と同期して動作するようにすれば、可動役物１５に一層多彩な演出効果を得ることができて、パチンコ遊技の興趣を一層高めることが可能となる。
【００４０】
また、可動役物２０、２１の開放端２０ａ、２１ａに設けた凹物２０ｂと凸部２１ｂの嵌合により、可動役物２０、２１の閉鎖時の位置決めが確実に行えると共に、閉鎖状態をより確実に維持して見栄えの低下をより一層防止することができる。またさらに、電磁石２４を常時オフ状態として、役物作動信号Ｓ１がオフする場合にのみ、所定時間Ｔ５オンさせて電磁石２４に吸着板２５を吸着可能に構成すれば、電磁石２４への通電時間を短縮できたり、制御を簡略化することができる。
【００４１】
なお、前記実施形態においては、正面視で略楕円形状の一対の可動役物２０、２１が左右方向に開閉される役物装置１５について説明したが、本発明に係わる役物装置は、この形態に限定されず、例えば障子、ふすま、カーテン等の正面視形状を有する一対の可動役物が左右方向に開閉される役物装置や、ブラインドやシャッター等の正面視形状を有する一対の可動役物が、上下方向に開閉される役物装置であっても良い。また、役物装置１５が配設される場所も、前記実施形態のように液晶表示器８の上方に限らず、例えば液晶表示器８の左方や右方であっても良いし、液晶表示器８の前面を閉鎖時に覆う形態等であっても良い。
【００４２】
さらに、前記実施形態においては、ランプ制御基板３４にステッピングモータ２２の駆動回路４０と電磁石２４の励磁回路４１をそれぞれ接続し、駆動回路４０と励磁回路４１に制御部４０ａ、４１ａをそれぞれ設けたが、例えば駆動回路４０と励磁回路４１を一体化して制御部４０ａ、４１ａや発振回路等を共通化して、回路構成を簡略化することもできる。また、前記実施形態においては、一対の可動役物２０、２１の開放端２０ａ、２１ａの上下方向の中央に電磁石２４と永久磁石２５を一個配設したが、複数個の電磁石２４や永久磁石２５等を配設することもできるし、電磁石２４の形態も丸形に限定されず角形を使用したり、あるいは必要とする力（吸着力や反発力）に応じて適宜の形態の電磁石２４を使用することもでき、この場合、励磁回路４１として電磁石の形態に応じた所定の回路を使用する等、本発明に係る各発明の要旨を逸脱しない範囲において適宜の構成を採用することができる。
【産業上の利用可能性】
【００４３】
本発明は、図柄表示装置の周囲に配設されて開閉可能な少なくとも一対の可動役物を有する全てのパチンコ遊技機に利用できる。
【図面の簡単な説明】
【００４４】
【図１】本発明に係わる役物装置を備えたパチンコ遊技機の正面図
【図２】同その液晶表示器部分の正面図
【図３】同その平面図
【図４】同役物装置が開放した状態の正面図
【図５】同その平面図
【図６】同電磁石の断面図
【図７】同パチコン遊技機の制御系のブロック図
【図８】同役物装置の制御系のブロック図
【図９】同役物装置の動作の一例を示すタイミングチャート
【図１０】同その変形例を示すタイミングチャート
【符号の説明】
【００４５】
１・・・パチンコ遊技機、８・・・液晶表示器（図柄表示装置）、１５・・・役物装置、２０、２１・・・可動役物、２０ａ、２１ａ・・・開放端、２０ｂ・・・凹部、２１ｂ・・・凸部、２０ｃ、２１ｃ・・・連結アーム、２２・・・ステッピングモータ、２３・・・カム、２４・・・電磁石、２４ａ・・・ヨーク、２４ｂ・・・コイル、２４ｃ・・・、磁極面、２５・・・永久磁石（吸着手段）、２８・・・吸着板（吸着手段）、２９・・・主制御基板、３０・・・サブ制御基板、３１・・・演出制御基板、３２・・・払出制御基板、３３・・・画像制御基板、３４ｃ・・・ランプ制御基板、３４ａ・・・ＣＰＵ、３４ｂ・・・ＲＡＭ、３４ｃ・・・ＲＯＭ、３６・・・枠ランプ、３７・・・盤ランプ、４０・・・駆動回路（駆動手段）、４０ａ・・・制御部、４０ｂ・・・パルス発生部、４１・・・励磁回路（励磁手段）、４１ａ・・・制御部、４１ｂ・・・パルス発生部、Ｓ１・・・役物作動信号。
【図１】
2010142295.tif 000003
【図２】
2010142295.tif 000004
【図３】
2010142295.tif 000005
【図４】
2010142295.tif 000006
【図５】
2010142295.tif 000007
【図６】
2010142295.tif 000008
【図７】
2010142295.tif 000009
【図８】
2010142295.tif 000010
【図９】
2010142295.tif 000011
【図１０】
2010142295.tif 000012